(57)【特許請求の範囲】
【請求項１】
電子機器であって、
４極プラグイヤホンの一端および延長ケーブルの一端と接続可能なイヤホンジャックを備え、
前記４極プラグイヤホンは、先端から順番に第１端子、第２端子、第３端子、および第４端子を有する第１の４極プラグと、出力端子およびグランド端子を有するマイクとを備え、前記第１の４極プラグの前記第３端子は、前記マイクのグランド端子と接続するように構成され、前記第１の４極プラグの前記第４端子は、前記マイクの出力端子と接続するように構成され、
前記延長ケーブルは、先端から順番に第１端子、第２端子、第３端子、および第４端子を有する第２の４極プラグと、前記４極プラグイヤホンと接続可能なコネクタを備え、
前記延長ケーブルのコネクタに前記４極プラグイヤホンが接続されてないときに前記第２の４極プラグの前記第３端子および前記第４端子は開放され、前記延長ケーブルのコネクタに前記４極プラグイヤホンが接続されているときに、前記第２の４極プラグの前記第３端子は、前記４極プラグイヤホンの前記マイクのグランド端子と接続するように構成され、前記第２の４極プラグの前記第４端子は、前記４極プラグイヤホンの前記マイクの出力端子と接続するように構成され、
前記イヤホンジャックは、第１端子、第２端子、第３端子、第４端子、および第５端子を含み、
前記第１の４極プラグまたは前記第２の４極プラグが前記イヤホンジャックに挿入されたときに、前記イヤホンジャックの前記第５端子は、前記第１の４極プラグの前記第４端子または前記第２の４極プラグの前記第４端子と接続するように構成され、前記イヤホンジャックの前記第４端子は、前記第１の４極プラグの前記第３端子または前記第２の４極プラグの前記第３端子と接続するように構成され、
前記電子機器は、さらに、
前記イヤホンジャックの前記第５端子と接続するように構成されるマイク音声処理部と、
前記マイク音声処理部と前記イヤホンジャックの前記第５端子との間の配線上の第１のノードに接続されるように構成されるプルアップ抵抗と、
前記第１のノードの電圧に応じて、現在の状態が、前記第１の４極プラグが前記イヤホンジャックに挿入された、または前記４極プラグイヤホンの前記第１の４極プラグが接続された前記コネクタを有する前記延長ケーブルの前記第２の４極プラグが前記イヤホンジャックに挿入された第１のケースか、あるいは前記４極プラグイヤホンの前記第１の４極プラグが接続されていない前記コネクタを有する前記延長ケーブルの前記第２の４極プラグが前記イヤホンジャックに挿入された第２のケースかを判断するように構成された制御部とを備えた、電子機器。
【請求項２】
前記イヤホンジャックは、さらに３極プラグイヤホンと接続可能であり、
前記３極プラグイヤホンは、
入力端子、およびグランド端子を有する第１のスピーカと、
入力端子、およびグランド端子を有する第２のスピーカと、
先端から順番に第１端子、第２端子、および第３端子を含む３極プラグとを備え、
前記３極プラグの前記第３端子は、前記第１のスピーカの前記グランド端子および前記第２のスピーカの前記グランド端子と接続するように構成され、
前記３極プラグが前記イヤホンジャックに挿入されたときに、前記イヤホンジャックの前記第４端子および前記第５端子は、前記３極プラグの前記第３端子と接続するように構成され、
前記制御部は、前記第１のノードの電圧に応じて、現在の状態が、前記第１のケース、前記第２のケース、または前記３極プラグイヤホンの前記３極プラグが前記イヤホンジャックに挿入された第３のケースかを判断するように構成される、請求項１記載の電子機器。
【請求項３】
前記制御部は、前記第１のノードの電圧が第１の閾値未満のときに、現在の状態が前記第３のケースであると判定するように構成される、請求項２記載の電子機器。
【請求項４】
前記制御部は、前記第１のノードの電圧が前記第１の閾値以上かつ第２の閾値未満のときに、現在の状態が前記第１のケースであると判定するように構成される、請求項３記載の電子機器。
【請求項５】
前記制御部は、前記第１のノードの電圧が前記第２の閾値以上、かつ前記第１のノードの電圧の時間変動量が第３の閾値未満のときに、現在の状態が前記第２のケースであると判定するように構成され、
前記制御部は、前記第１のノードの電圧が前記第２の閾値以上、かつ前記第１のノードの電圧の時間変動量が前記第３の閾値以上のときに、現在の状態が前記第１のケースであると判定するように構成される、請求項４記載の電子機器。
【請求項６】
前記制御部は、前記第１のノードの電圧が前記第２の閾値以上、かつ前記第１のノードの電圧の時間変動量が第３の閾値未満のときに、ユーザに対して指示を要求し、ユーザの指示に応じて、現在の状態が前記第１のケースであるか、あるいは前記第２のケースであるかを判定するように構成される、請求項４記載の電子機器。
【請求項７】
前記制御部は、前記第１のノードの電圧が前記第２の閾値以上のときに、ユーザに対して指示を要求し、ユーザの指示に応じて、現在の状態が前記第１のケースであるか、あるいは前記第２のケースであるかを判定するように構成される、請求項４記載の電子機器。
【請求項８】
前記４極プラグイヤホンは、さらに、
入力端子、およびグランド端子を有する第１のスピーカと、
入力端子、およびグランド端子を有する第２のスピーカとを含み、
前記第１の４極プラグの前記第１端子は、前記第１のスピーカの前記入力端子と接続するように構成され、前記第１の４極プラグの前記第２端子は、前記第２のスピーカの前記入力端子と接続するように構成され、前記第１の４極プラグの前記第３端子は、さらに前記第１のスピーカの前記グランド端子、前記第２のスピーカの前記グランド端子と接続するように構成され、
前記延長ケーブルのコネクタに前記４極プラグイヤホンが接続されてないときに前記第２の４極プラグの前記第１端子および前記第２端子は開放され、前記延長ケーブルのコネクタに前記４極プラグイヤホンが接続されているときに、前記第２の４極プラグの前記第１端子は、前記４極プラグイヤホンの前記第１のスピーカの前記入力端子と接続し、前記第２の４極プラグの前記第２端子は、前記４極プラグイヤホンの前記第２のスピーカの前記入力端子と接続し、前記第２の４極プラグの前記第３端子は、さらに前記４極プラグイヤホンの前記第１のスピーカの前記グランド端子、前記４極プラグイヤホンの前記第２のスピーカの前記グランド端子と接続するように構成され、
前記第１の４極プラグまたは前記第２の４極プラグが前記イヤホンジャックに挿入されたときに、さらに、前記イヤホンジャックの前記第３端子は、前記第１の４極プラグの前記第２端子または前記第２の４極プラグの前記第２端子と接続し、前記イヤホンジャックの前記第１端子および前記第２端子は、前記第１の４極プラグの前記第１端子または前記第２の４極プラグの前記第１端子と接続するように構成される、請求項１記載の電子機器。
【請求項９】
前記３極プラグが前記イヤホンジャックに挿入されたときに、さらに、前記イヤホンジャックの前記第３端子は、前記３極プラグの前記第２端子と接続し、前記イヤホンジャックの前記第１端子および前記第２端子は、前記３極プラグの前記第１端子と接続するように構成される、請求項２記載の電子機器。
【請求項１０】
前記電子機器は、
マイクを備え、
前記制御部は、現在の状態が前記第１のケースと判定された場合に、前記イヤホンジャックから出力されて前記マイク音声処理部に入力された音声信号を受け付け可能に設定し、現在の状態が前記第２のケースまたは前記第３のケースと判定された場合に、前記電子機器のマイクからの音声信号を受け付け可能に設定する、請求項２記載の電子機器。
【請求項１１】
前記電子機器は、
スピーカと、
前記イヤホンジャックの前記第２端子と接続するように構成される第１の音声出力部と、
前記イヤホンジャックの前記第３端子と接続するように構成される第２の音声出力部とを備え、
前記制御部は、現在の状態が前記第１のケースまたは前記第３のケースと判定された場合に、前記第１の音声出力部および前記第２の音声出力部からの音声信号を前記イヤホンジャックへ出力可能に設定し、現在の状態が前記第２のケースと判定された場合に、音声信号を前記電子機器のスピーカへ出力可能に設定する、請求項９記載の電子機器。
【発明の詳細な説明】
【技術分野】
【０００１】
本開示は、電子機器に関する。
【背景技術】
【０００２】
従来から、複数種類のイヤホンプラグのうち、いずれがイヤホンジャックに挿入されたかを識別することができる装置が知られている。
【０００３】
たとえば、４極プラグおよび５極プラグに共用される５極用イヤホンジャックを備える携帯電話が知られている。４極プラグは、マイク信号、左音声信号、右音声信号、グランド電圧を伝送し、５極プラグは、ＰＴＴスイッチ信号、マイク信号、左音声信号、右音声信号、グランド電圧を伝送する。
【０００４】
プラグが挿入されると、第３ジャック端子からトーン信号が出力される。このとき、４極プラグが挿入されていれば、トーン信号は４極イヤホンを経由して第１ジャック端子から漏れ信号として出力され、漏れ信号は、増幅された後に制御回路に入力される。一方、５極プラグが挿入されている場合、漏れ信号は出力されない。このような構成によって、４極プラグと５極プラグのいずれのプラグに挿入されたかを識別することができる。
【先行技術文献】
【特許文献】
【０００５】
【特許文献１】特開２０１３−６６１４９号公報
【発明の概要】
【発明が解決しようとする課題】
【０００６】
ところで、イヤホンジャックに４極プラグイヤホンのプラグが挿入されたのか、４極プラグイヤホン用の延長ケーブルのプラグが挿入されたか否かを検出することが必要である。
【０００７】
それゆえに、本開示の目的は、イヤホンジャックに４極プラグイヤホンのプラグが挿入されたのか、４極プラグイヤホン用の延長ケーブルのプラグが挿入されたか否かを検出することできる電子機器を提供することである。
【課題を解決するための手段】
【０００８】
一実施の形態の電子機器は、４極プラグイヤホンの一端および延長ケーブルの一端と接続可能なイヤホンジャックを備える。４極プラグイヤホンは、先端から順番に第１端子、第２端子、第３端子、および第４端子を有する第１の４極プラグと、出力端子およびグランド端子を有するマイクとを備える。第１の４極プラグの第３端子は、マイクのグランド端子と接続するように構成され、第１の４極プラグの第４端子は、マイクの出力端子と接続するように構成される。
【０００９】
延長ケーブルは、先端から順番に第１端子、第２端子、第３端子、および第４端子を有する第２の４極プラグと、４極プラグイヤホンと接続可能なコネクタを備える。
【００１０】
延長ケーブルのコネクタに４極プラグイヤホンが接続されてないときに第２の４極プラグの第３端子および第４端子は開放される。延長ケーブルのコネクタに４極プラグイヤホンが接続されているときに、第２の４極プラグの第３端子は、４極プラグイヤホンのマイクのグランド端子と接続するように構成され、第２の４極プラグの第４端子は、４極プラグイヤホンのマイクの出力端子と接続するように構成される。
【００１１】
イヤホンジャックは、第１端子、第２端子、第３端子、第４端子、および第５端子を含む。
【００１２】
第１の４極プラグまたは第２の４極プラグがイヤホンジャックに挿入されたときに、イヤホンジャックの第５端子は、第１の４極プラグの第４端子または第２の４極プラグの第４端子と接続するように構成され、イヤホンジャックの第４端子は、第１の４極プラグの第３端子または第２の４極プラグの第３端子と接続するように構成される。
【００１３】
電子機器は、さらに、イヤホンジャックの第５端子と接続するように構成されるマイク音声処理部と、マイク音声処理部とイヤホンジャックの第５端子との間の配線上の第１のノードに接続されるように構成されるプルアップ抵抗と、第１のノードの電圧に応じて、現在の状態が、第１の４極プラグがイヤホンジャックに挿入された、または第４極プラグイヤホンの第１の４極プラグが接続されたコネクタを有する延長ケーブルの第２の４極プラグがイヤホンジャックに挿入された第１のケースか、あるいは４極プラグイヤホンの第１の４極プラグが接続されていないコネクタを有する延長ケーブルの第２の４極プラグがイヤホンジャックに挿入された第２のケースかを判断するように構成された制御部とを備える。
【発明の効果】
【００１４】
一実施の形態によれば、イヤホンジャックに４極プラグイヤホンのプラグが挿入されたのか、４極プラグイヤホン用の延長ケーブルのプラグが挿入されたか否かを検出することできる。
【図面の簡単な説明】
【００１５】
【図１】実施の形態の携帯端末の構成を表わす図である。
【図２】３極プラグイヤホンを表わす図である。
【図３】４極プラグイヤホンを表わす図である。
【図４】４極プラグイヤホン用の延長ケーブルを表わす図である。
【図５】４極プラグ用の延長ケーブルが、４極プラグイヤホンと接続された状態を表わす図である。
【図６】３極プラグイヤホン内の構成要素の接続を表わす図である。
【図７】４極プラグイヤホン内の構成要素の接続を表わす図である。
【図８】４極プラグイヤホン用の延長ケーブル９３内の構成要素の接続を表わす図である。
【図９】４極プラグイヤホン用の延長ケーブルと、４極プラグイヤホンとが接続された状態の構成要素の接続を表わす図である。
【図１０】イヤホンジャックを表わす図である。
【図１１】端子Ａ、Ａ′、Ｂ、Ｃ、Ｄのイヤホンジャックプラグ挿入孔の内面上の方位角の一例を説明するための図である。
【図１２】３極プラグイヤホンに含まれる３極プラグがイヤホンジャックに挿入された状態を表わす図である。
【図１３】４極プラグイヤホンに含まれる４極プラグがイヤホンジャックに挿入された状態を表わす図である。
【図１４】４極プラグイヤホンの延長ケーブルに含まれる４極プラグがイヤホンジャックに挿入された状態を表わす図である。
【図１５】携帯端末における挿入されたプラグの種類を判定するための構成を説明するための図である。
【図１６】３極プラグイヤホンに含まれる３極プラグがイヤホンジャックに挿入されたときの携帯端末の構成要素と３極プラグイヤホンの構成要素との接続関係を表わす図である。
【図１７】４極プラグイヤホンに含まれる３極プラグがイヤホンジャックに挿入されたときの携帯端末の構成要素と４極プラグイヤホンの構成要素との接続関係を表わす図である。
【図１８】４極プラグイヤホン用の延長ケーブルに含まれる４極プラグがイヤホンジャックに挿入されたときの携帯端末の構成要素と４極プラグイヤホン用の延長ケーブルの構成要素との接続関係を表わす図である。
【図１９】ノードＮＤ３の電圧ＶＤと、挿入されたプラグとの対応を表わす図である。
【図２０】第１の実施形態における挿入されたプラグの種別の識別手順、およびプラグの種別に応じた制御手順を表すフローチャートである。
【図２１】第２の実施形態における挿入されたプラグの種別の識別手順、およびプラグの種別に応じた制御手順を表すフローチャートである。
【図２２】ユーザへの指示を要求する画面の例を表わす図である。
【図２３】図２３は、第３の実施形態における挿入されたプラグの種別の識別手順、およびプラグの種別に応じた制御手順を表すフローチャートである。
【発明を実施するための形態】
【００１６】
以下、実施の形態について図面を用いて説明する。
［第１の実施形態］
以下では、電子機器の一形態としてスマートフォンなどの携帯端末を用いて説明する。
【００１７】
図１は、実施の形態の携帯端末１の構成を表わす図である。
図１を参照して、携帯端末１は、ＣＰＵ（Central Processing Unit）２と、アンテナ９６１と、マイク６２と、スピーカ６３と、ディスプレイ６５と、タッチパネル６６と、メモリ９６６と、音声処理部３と、イヤホンジャック１２とを備える。ＣＰＵ２と、音声処理部３と、メモリ９６６は、制御部５２１を構成する。
【００１８】
イヤホンジャック１２は、３極プラグイヤホン９１、４極プラグイヤホン９２、および４極プラグイヤホン用の延長ケーブル９３と接続可能である。
【００１９】
ＣＰＵ２は、全体の制御を行なうとともに、挿入されたイヤホンの種別を行なうことができる。
【００２０】
アンテナ９６１は、無線基地局との間で無線信号の送受信を行なうことができる。
タッチパネル６６は、ユーザによる入力を受け付けることができる。
【００２１】
ディスプレイ６５は、ＣＰＵ２から送られる画像を表示することができる。
メモリ９６６は、各種のデータを記憶することができる。
【００２２】
マイク６２は、入力される音声信号を音声処理部３へ出力することができる。
スピーカ６３は、音声処理部３から送られる音声信号を再生することができる。
【００２３】
音声処理部３は、イヤホンジャック１２に何も挿入されていないとき、またはイヤホンジャック１２に延長ケーブル９３が挿入されている（ただし、他端に４極プラグイヤホンが挿入されていないこと）ときには、音声信号を携帯端末１のスピーカ６３のみへ出力可能に設定することができる。
【００２４】
音声処理部３は、イヤホンジャック１２に３極プラグイヤホン９１が挿入されているとき、４極プラグイヤホン９２が挿入されているとき、または他端に４極プラグイヤホン９２が接続された延長ケーブル９３が挿入されているときには、音声信号をイヤホンジャック１２へ出力可能に設定することができる。
【００２５】
音声処理部３は、イヤホンジャック１２に何も挿入されていないとき、イヤホンジャック１２に３極プラグイヤホン９１が挿入されているとき、またはイヤホンジャック１２に延長ケーブル９３が挿入されている（ただし、他端に４極プラグイヤホンが挿入されていないこと）ときには、携帯端末１のマイク６２からの音声信号のみを入力可能に設定することができる。
【００２６】
音声処理部３は、イヤホンジャック１２に４極プラグイヤホン９２が挿入されているとき、または他端に４極プラグイヤホン９２が接続された延長ケーブル９３が挿入されているときには、イヤホンジャック１２からの音声信号のみを入力可能に設定することができる。
【００２７】
図２は、３極プラグイヤホン９１を表わす図である。
３極プラグイヤホン９１は、３極プラグ５１と、ケーブル８１と、左耳用のシリコンキャップ１３ａ、ハウジング１６ａ、およびスピーカ１７ａと、右耳用のシリコンキャップ１３ｂ、ハウジング１６ｂ、およびスピーカ１７ｂとを備える。
【００２８】
３極プラグ５１が携帯端末１のイヤホンジャック１２に挿入されることによって、３極プラグイヤホン９１と携帯端末１とが接続される。
【００２９】
図３は、４極プラグイヤホン９２を表わす図である。
４極プラグイヤホン９２は、４極プラグ５２と、ケーブル８２と、マイク２８と、左耳用のシリコンキャップ２３ａ、ハウジング２６ａ、およびスピーカ２７ａと、右耳用のシリコンキャップ２３ｂ、ハウジング２６ｂ、およびスピーカ２７ｂとを備える。
【００３０】
４極プラグ５２が携帯端末１のイヤホンジャック１２に挿入されることによって、４極プラグイヤホン９２と携帯端末１とが接続される。
【００３１】
図４は、４極プラグイヤホン用の延長ケーブル９３を表わす図である。
４極プラグイヤホン用の延長ケーブル９３は、４極プラグ５３と、ケーブル８３と、コネクタ２９とを備える。
【００３２】
４極プラグ５３は、４極プラグイヤホン９２に含まれる４極プラグ５２と同様の形状および特性を有する。４極プラグ５３が携帯端末１のイヤホンジャック１２に挿入されることによって、延長ケーブル９３と携帯端末１とが接続される。
【００３３】
コネクタ２９が４極プラグイヤホン９２に含まれる４極プラグ５２と接続されることによって、４極プラグ用イヤホンの延長ケーブル９３と４極プラグイヤホン９２とが接続される。
【００３４】
図５は、４極プラグ用の延長ケーブル９３が、４極プラグイヤホン９２と接続された状態を表わす図である。
【００３５】
４極プラグイヤホン９２に含まれる４極プラグ５２が４極プラグ用の延長ケーブル９３に含まれるコネクタ２９に接続されると、ケーブル長が延長された４極プラグイヤホンが形成される。
【００３６】
図６は、３極プラグイヤホン９１内の構成要素の接続を表わす図である。
３極プラグイヤホン９１に含まれる３極プラグ５１は、ＥＩＡＪ（Electronic Industries Association of Japan ）規格に準拠するプラグである。３極プラグ５１の直径は、３．５ｍｍである。３極プラグ５１は、先端から順番に左音声端子（Ｌ）（第１端子）と、右音声端子（Ｒ）（第２端子）と、グランド端子（ＧＮＤ）（第３端子）とを備える。図６において、黒で示されている部分は、絶縁体で構成されている。
【００３７】
３極プラグイヤホン９１に含まれるスピーカ１７ａは、入力端子９５ａおよびグランド用の電圧入力端子（グランド端子）９６ａを有することができる。３極プラグイヤホン９１に含まれるスピーカ１７ｂは、入力端子９５ｂおよびグランド用の電圧入力端子（グランド端子）９６ｂを有することができる。
【００３８】
左音声端子（Ｌ）は、スピーカ１７ａの入力端子９５ａに接続されることができる。右音声端子（Ｒ）は、スピーカ１７ｂの入力端子９５ｂに接続されることができる。グランド端子（ＧＮＤ）は、スピーカ１７ａのグランド端子９６ａおよびスピーカ１７ｂのグランド端子９６ｂに接続されることができる。
【００３９】
図７は、４極プラグイヤホン９２内の構成要素の接続を表わす図である。
４極プラグイヤホン９２に含まれる４極プラグ５２は、ＥＩＡＪ規格に準拠するプラグである。４極プラグ５２の直径は３．５ｍｍである。また、４極プラグ５２の信号配列は、ＣＴＩＡ（Cellular Telephone Industry Association）に準拠している。４極プラグ５２は、先端から順番に左音声端子（Ｌ）（第１端子）と、右音声端子（Ｒ）（第２端子）と、グランド端子（ＧＮＤ）（第３端子）と、マイク端子（Ｍ）（第４端子）とを備える。
【００４０】
４極プラグイヤホン９２に含まれるスピーカ２７ａは、入力端子７１ａおよびグランド用の電圧入力端子（グランド端子）７２ａを有することができる。４極プラグイヤホン９２に含まれるスピーカ２７ｂは、入力端子７１ｂおよびグランド用の電圧入力端子（グランド端子）７２ｂを有することができる。マイク２８は、出力端子７４およびグランド用の電圧入力端子（グランド端子）７３を有することができる。
【００４１】
左音声端子（Ｌ）は、スピーカ２７ａの入力端子７１ａに接続されることができる。右音声端子（Ｒ）は、スピーカ２７ｂの入力端子７１ｂに接続されることができる。グランド端子（ＧＮＤ）は、スピーカ２７ａのグランド端子７２ａ、スピーカ２７ｂのグランド端子７２ｂ、およびマイク２８のグランド端子７３に接続されることができる。マイク端子（Ｍ）は、マイク２８の出力端子７４に接続されることができる。
【００４２】
図８は、４極プラグイヤホン用の延長ケーブル９３内の構成要素の接続を表わす図である。
【００４３】
延長ケーブル９３に含まれる４極プラグ５３は、４極プラグ５２と同様である。左音声端子（Ｌ）、右音声端子（Ｒ）、グランド端子（ＧＮＤ）、およびマイク端子（Ｍ）は、それぞれ開放されている。
【００４４】
図９は、４極プラグイヤホン用の延長ケーブル９３と、４極プラグイヤホン９２とが接続された状態の構成要素の接続を表わす図である。
【００４５】
延長ケーブル９３に含まれる４極プラグ５３の左音声端子（Ｌ）は、延長ケーブル９３が４極プラグイヤホン９２に接続されているので、４極プラグイヤホン９２に含まれるスピーカ２７ａの入力端子７１ａに接続される。延長ケーブル９３に含まれる４極プラグ５３の右音声端子（Ｒ）は、延長ケーブル９３が４極プラグイヤホン９２に接続されているので、４極プラグイヤホン９２に含まれるスピーカ２７ｂの入力端子７１ｂに接続される。延長ケーブル９３に含まれる４極プラグ５３のグランド端子（ＧＮＤ）は、延長ケーブル９３が４極プラグイヤホン９２に接続されているので、４極プラグイヤホン９２に含まれるスピーカ２７ａのグランド端子７２ａ、４極プラグイヤホン９２に含まれるスピーカ２７ｂのグランド端子７２ｂ、および４極プラグイヤホン９２に含まれるマイク２８のグランド端子７３に接続される。延長ケーブル９３に含まれる４極プラグ５３のマイク端子（Ｍ）は、延長ケーブル９３が４極プラグイヤホン９２に接続されているので、４極プラグイヤホン９２に含まれるマイク２８の出力端子７４に接続される。
【００４６】
図１０は、イヤホンジャック１２を表わす図である。
図１０に示すように、イヤホンジャック１２の内側にプラグ挿入孔６００が形成される。
【００４７】
イヤホンジャック１２のプラグ挿入孔６００の内面上の奥側から順番に、端子Ａ′（ＤＥＴ）（第１端子）および端子Ａ（ＬＣＨ）（第２端子）、端子Ｂ（ＲＣＨ）（第３端子）、端子Ｃ（ＧＮＤ）（第４端子）、端子Ｄ（ＭＩＣ）（第５端子）が配置される。
【００４８】
図１１は、端子Ａ、Ａ′、Ｂ、Ｃ、Ｄのイヤホンジャック１２のプラグ挿入孔６００の内面上の方位角の一例を説明するための図である。
【００４９】
図１１（ａ）は、図１０に示すプラグ挿入孔６００のI−I′線上の断面図である。
端子Ａ′（ＤＥＴ）は、プラグ挿入孔６００の半径ｒ１の内面上の方位角９０°の位置に配置される。
【００５０】
端子Ａ（ＬＣＨ）は、プラグ挿入孔６００の半径ｒ１の内面上の方位角１８０°の位置に配置される。
【００５１】
図１１（ｂ）は、図１０に示すプラグ挿入孔６００のII−II′線上の断面図である。
端子Ｂ（ＲＣＨ）は、プラグ挿入孔６００の半径ｒ２の内面上の方位角０°の位置に配置される。ただし、ｒ２＞ｒ１である。
【００５２】
図１１（ｃ）は、図１０に示すプラグ挿入孔６００のIII−III′線上の断面図である。
端子Ｃ（ＧＮＤ）は、プラグ挿入孔６００の半径ｒ２の内面上の方位角０°の位置に配置される。
【００５３】
図１１（ｄ）は、図６に示すプラグ挿入孔６００のIV−IV′線上の断面図である。
端子Ｄ（ＭＩＣ）は、プラグ挿入孔６００の半径ｒ２の内面上の方位角１８０°の位置に配置される。
【００５４】
図１２は、３極プラグイヤホン９１に含まれる３極プラグ５１がイヤホンジャック１２に挿入された状態を表わす図である。
【００５５】
図１２を参照して、３極プラグ５１は、イヤホンジャック１２に挿入されたときに、以下のようにしてイヤホンジャック１２と接続することができる。
【００５６】
左音声端子（Ｌ）が、端子Ａ（ＬＣＨ）および端子Ａ′（ＤＥＴ）と接続することができる。右音声端子（Ｒ）が、端子Ｂ（ＲＣＨ）と接続することができる。グランド端子（Ｇ）が、端子Ｃ（ＧＮＤ）および端子Ｄ（ＭＩＣ）と接続することができる。
【００５７】
図１３は、４極プラグイヤホン９２に含まれる４極プラグ５２がイヤホンジャック１２に挿入された状態を表わす図である。
【００５８】
４極プラグ５２は、イヤホンジャック１２に挿入されたときに、以下のようにしてイヤホンジャック１２と接続することができる。
【００５９】
左音声端子（Ｌ）が、端子Ａ（ＬＣＨ）および端子Ａ′（ＤＥＴ）と接続することができる。右音声端子（Ｒ）が、端子Ｂ（ＲＣＨ）と接続することができる。グランド端子（Ｇ）が、端子Ｃ（ＧＮＤ）と接続することができる。マイク端子（Ｍ）が、端子Ｄ（ＭＩＣ）と接続することができる。
【００６０】
図１４は、４極プラグイヤホンの延長ケーブル９３に含まれる４極プラグ５３がイヤホンジャック１２に挿入された状態を表わす図である。
【００６１】
４極プラグ５３は、イヤホンジャック１２に挿入されたときに、以下のようにしてイヤホンジャック１２と接続することができる。
【００６２】
左音声端子（Ｌ）が、端子Ａ（ＬＣＨ）および端子Ａ′（ＤＥＴ）と接続することができる。右音声端子（Ｒ）が、端子Ｂ（ＲＣＨ）と接続することができる。グランド端子（Ｇ）が、端子Ｃ（ＧＮＤ）と接続することができる。マイク端子（Ｍ）が、端子Ｄ（ＭＩＣ）と接続することができる。
【００６３】
図１５は、携帯端末１における挿入されたプラグの種類を判定するための構成を説明するための図である。
【００６４】
音声処理部３は、マイク音声処理部１５１と、第１の音声出力部１５２と、第２の音声出力部１５３とを備える。
【００６５】
マイク音声処理部１５１は、アンプ５と、ＡＤＣ（Analog to Digital Converter）４とを備える。アンプ５の入力は、イヤホンジャック１２の端子Ｄ（ＭＩＣ）と接続することができる。アンプ５は、端子Ｄ（ＭＩＣ）から出力される音声信号を増幅することができる。ＡＤＣ４は、アンプ５から出力される音声信号をデジタル信号に変換することができる。
【００６６】
第１の音声出力部１５２は、ＤＡＣ（Digital to Analog Converter）６と、アンプ７とを備える。ＤＡＣ６は、左耳用のデジタルの音声信号をアナログの音声信号に変換することができる。アンプ７は、ＤＡＣ６から出力される音声信号を増幅または減衰させることができる。アンプ７の出力は、イヤホンジャック１２の端子Ａ（ＬＣＨ）と接続することができる。
【００６７】
第２の音声出力部１５３は、ＤＡＣ８と、アンプ９とを備える。ＤＡＣ８は、右耳用のデジタルの音声信号をアナログの音声信号に変換することができる。アンプ９は、ＤＡＣ８から出力される音声信号を増幅または減衰させることができる。アンプ９の出力は、イヤホンジャック１２の端子Ｂ（ＲＣＨ）と接続することができる。
【００６８】
電圧設定部１５４は、第１のプルアップ抵抗Ｒ１（＝１００ｋΩ）と、第１のプルダウン抵抗Ｒ２（＝１０ｋΩ）と、第２のプルアップ抵抗Ｒ３（＝２．２ｋΩ）と、グランド電源１５５とを備える。
【００６９】
第１のプルアップ抵抗Ｒ１は、イヤホンジャック１２の端子Ａ′（ＤＥＴ）とＣＰＵ２との間の配線上のノードＮＤ１と、プルアップ用の電源電圧ＶＤＤ（＝２Ｖ）との間に接続されることができる。
【００７０】
第１のプルダウン抵抗Ｒ２は、イヤホンジャック１２の端子Ａ（ＬＣＨ）と第１の音声出力部１５２との間の配線上のノードＮＤ２と、グランド電源１５５との間に接続されることができる。
【００７１】
第２のプルアップ抵抗Ｒ３は、イヤホンジャック１２の端子Ａ（ＭＩＣ）とマイク音声処理部１５１との間の配線上のノードＮＤ３と、プルアップ用のバイアス電圧ＭＩＣＢＩＡＳ（＝１．８Ｖ）との間に接続されることができる。
【００７２】
グランド電源１５５は、イヤホンジャック１２の端子Ｃ（ＧＮＤ）と接続する。
ＣＰＵ２は、ＡＤＣ（Analog to Digital Converter）３７２と、ＧＰＩＯ（General Purpose Input / Output）インタフェース１１を有する。ＧＰＩＯインタフェース１１は、端子ＧＰＩＯ＿０を有する。
【００７３】
端子ＧＰＩＯ＿０は、ノードＮＤ１と接続することができる。端子ＧＰＩＯ＿は、ノードＮＤ１の電圧ＤＥＴを受けることができる。
【００７４】
ＡＤＣ３７２は、ノードＮＤ３と接続することができる。ＡＤＣ３７２は、ノードＮＤ３のアナログの電圧値をデジタル値に変換することができる。
【００７５】
図１６は、３極プラグイヤホン９１に含まれる３極プラグ５１がイヤホンジャック１２に挿入されたときの携帯端末１の構成要素と３極プラグイヤホン９１の構成要素との接続関係を表わす図である。
【００７６】
３極プラグ５１の左音声端子（Ｌ）とグランド端子（Ｇ）との間に接続されるスピーカ１７ａは、等価回路で表した場合、抵抗ＲＸ（＝８Ω）で表される。３極プラグ５１の右音声端子（Ｒ）とグランド端子（Ｇ）との間に接続されるスピーカ１７ｂは、等価回路で表した場合、抵抗ＲＹ（＝８Ω）で表される。
【００７７】
３極プラグ５１がイヤホンジャック１２に挿入されたときには、ノードＮＤ１は、第１のプルアップ抵抗Ｒ１（＝１００ｋΩ）を介して電源電圧ＶＤＤに接続されることができる。ノードＮＤ１は、さらに、端子Ａ′（ＤＥＴ）、左音声端子（Ｌ）、端子Ａ（ＬＣＨ）、第１のプルダウン抵抗Ｒ２（＝１０ｋΩ）を介してグランド電源１５５に接続されることができる。ノードＮＤ１は、さらに、端子Ａ′（ＤＥＴ）、左音声端子（Ｌ）、抵抗ＲＸ（＝８Ω）、グランド端子（Ｇ）、および端子Ｃ（ＧＮＤ）を介してグランド電源１５５に接続されることができる。抵抗ＲＸの値が小さいため、ノードＮＤ１の電圧はプルダウンされてロウレベル（Ｌ）となり、ＧＰＩＯ＿０に入力される検出信号ＤＥＴは、ロウレベル（Ｌ）となる。
【００７８】
３極プラグ５１がイヤホンジャック１２に挿入されたときには、ノードＮＤ３は、第２のプルアップ抵抗Ｒ３（＝２．２ｋΩ）を介してバイアス電圧ＭＩＣＢＩＡＳに接続されることができる。ノードＮＤ３は、さらに、端子Ｄ（ＭＩＣ）、グランド端子（Ｇ）を介してグランド電源１５５に接続されるため、ほぼ０Ｖとなる。その結果、ＡＤＣ３７２によって得られるデジタル値は「０」に近い値となる。
【００７９】
図１７は、４極プラグイヤホン９２に含まれる３極プラグ５２がイヤホンジャック１２に挿入されたときの携帯端末１の構成要素と４極プラグイヤホン９２の構成要素との接続関係を表わす図である。
【００８０】
４極プラグ５２の左音声端子（Ｌ）とグランド端子（Ｇ）との間に接続されるスピーカ２７ａは、等価回路で表した場合、抵抗ＲＸ（＝８Ω）で表される。４極プラグ５２の右音声端子（Ｒ）とグランド端子（Ｇ）との間に接続されるスピーカ２７ｂは、等価回路で表した場合、抵抗ＲＹ（＝８Ω）で表される。４極プラグ５２のマイク端子（Ｍ）とグランド端子（Ｇ）との間に接続されるマイク２９は、等価回路で表した場合、抵抗ＲＺで表される。抵抗ＲＺの値は、数ｋΩ〜数ＭΩである。
【００８１】
４極プラグ５２がイヤホンジャック１２に挿入されたときには、前述の３極プラグ５１がイヤホンジャック１２に挿入されたときと同様に、ＧＰＩＯ＿０に入力される検出信号ＤＥＴは、ロウレベル（Ｌ）となる。
【００８２】
４極プラグ５２がイヤホンジャック１２に挿入されたときには、ノードＮＤ３は、第２のプルアップ抵抗Ｒ３（＝２．２ｋΩ）を介してバイアス電圧ＭＩＣＢＩＡＳに接続されることができる。ノードＮＤ３は、さらに、端子Ｄ（ＭＩＣ）、マイク端子（Ｍ）、抵抗ＲＺ、グランド端子（Ｇ）を介してグランド電源１５５に接続されることができる。その結果、ノードＮＤ３の電圧は、ＭＩＣＢＩＡＳ×｛ＲＺ／（ＲＺ＋Ｒ３）｝となる。ＲＺの値が大きいと、ノードＮＤ３の電圧は大きくなり、ＲＺの値が小さいと、ノードＮＤ３の電圧は小さくなる。ＲＺの値が大きいほど、ノードＮＤ３の電圧はバイアス電圧ＭＩＣＢＩＡＳに近くなる。
【００８３】
なお、４極プラグイヤホン９２が接続されたコネクタ２９を有する延長ケーブル９３の４極プラグ５３がイヤホンジャック１２に挿入されたときの携帯端末１の構成要素と延長ケーブル９３および４極プラグイヤホン９２との構成要素との接続関係も図１７と同様である。
【００８４】
図１８は、４極プラグイヤホン用の延長ケーブル９３に含まれる４極プラグ５３がイヤホンジャック１２に挿入されたときの携帯端末１の構成要素と４極プラグイヤホン用の延長ケーブル９３の構成要素との接続関係を表わす図である。ただし、延長ケーブル９３のコネクタ２９に４極プラグイヤホン９２が接続されていないものとする。
【００８５】
４極プラグ５３の左音声端子（Ｌ）、グランド端子（Ｇ）、右音声端子（Ｒ）、およびマイク端子（Ｍ）は開放される。
【００８６】
４極プラグ５３がイヤホンジャック１２に挿入されたときには、前述の３極プラグ５１がイヤホンジャック１２に挿入されたときと同様に、ＧＰＩＯ＿０に入力される検出信号ＤＥＴは、ロウレベル（Ｌ）となる。
【００８７】
ノードＮＤ３は、第２のプルアップ抵抗Ｒ３（＝２．２ｋΩ）を介してバイアス電圧ＭＩＣＢＩＡＳに接続されることができる。ノードＮＤ３は、さらに、端子Ｄ（ＭＩＣ）を介してマイク端子（Ｍ）に接続されることができる。マイク端子（Ｍ）は開放されているため、ノードＮＤ３の電圧は、ＭＩＣＢＩＡＳとなる。
【００８８】
図１９は、ノードＮＤ３の電圧ＶＤと、挿入されたプラグとの対応を表わす図である。
本開示では、ＣＰＵ２は、図１９に示すように、ノードＮＤ３の電圧の大きさによって、挿入されたプラグの種類を識別する。
【００８９】
ＣＰＵ２は、ノードＮＤ３の電圧が閾値ＴＨ１未満のときには、挿入されたプラグが３極プラグイヤホン９１に含まれる３極プラグ５１であると判定することができる。閾値ＴＨ１として、「０」に近い値を設定することができる。この状態を以下では、第３のケースと称することにする。
【００９０】
ＣＰＵ２は、ノードＮＤ３の電圧が閾値ＴＨ１以上、かつ閾値ＴＨ２未満のときには、挿入されたプラグが４極プラグイヤホン９２（Ｒｚの値が小さい場合）に含まれる４極プラグ５２、またはコネクタに４極プラグイヤホン９２（Ｒｚの値が小さい場合）が接続された延長ケーブル９３に含まれる４極プラグ５３と判定することができる。閾値ＴＨ２として、ＭＩＣＢＩＡＳに近い値を設定することができる。この状態を以下では、第１のケースと称することにする。
【００９１】
ＣＰＵ２は、ノードＮＤ３の電圧が閾値ＴＨ２以上のときには、第１のケース、または挿入されたプラグがコネクタに４極プラグイヤホン９２が接続されていない延長ケーブル９３に含まれる４極プラグ５３のいずれかであると判定することができる。挿入されたプラグがコネクタに４極プラグイヤホン９２が接続されていない延長ケーブル９３に含まれる４極プラグ５３の状態を以下では、第２のケースと称することにする。ＣＰＵ２は、さらに、ノードＮＤ３の電圧の時間変動が所定値以上のときには、現在の状態を第１のケースと判定し、ノードＮＤ３の電圧の変動が所定値未満のときには、現在の状態が第２のケースであると判定することができる。４極プラグ５２またはコネクタ２９に４極プラグイヤホン９２が接続された延長ケーブル９３の４極プラグ５３がイヤホンジャック１２に挿入されているときには、４極プラグイヤホン９２のマイク２８から周囲の音声を表わす音声信号がイヤホンジャック１２に出力されるからである。
【００９２】
ここで、ノードＮＤ３の電圧の時間変動量として、一定時間内における音声信号と所定の基準値との差の平均値、あるいは、一定時間内における音声信号と所定の基準値との差の最大値を用いることができる。
【００９３】
図２０は、第１の実施形態における挿入されたプラグの種別の識別手順、およびプラグの種別に応じた制御手順を表すフローチャートである。
【００９４】
図２０を参照して、ステップＳ１０２において、ＣＰＵ２は、検出信号ＤＥＴのレベルを判定する。イヤホンジャック１２に３極プラグ５１、４極プラグ５２、または４極プラグ５３が挿入されている場合には、ノードＮＤ１は、前述したようにロウレベル（Ｌ）となる。
【００９５】
検出信号ＤＥＴがロウレベル（Ｌ）の場合には、処理がステップＳ１０３に進む。
ステップＳ１０３において、ＣＰＵ２は、イヤホンジャック１２に３極プラグ５１、４極プラグ５２または４極プラグ５３が挿入されたと判定する。
【００９６】
ステップＳ１０４において、ＡＤＣ３７２は、ノードＮＤ３の電圧をデジタル値ＶＤに変換することができる。
【００９７】
ステップＳ１０５において、ＡＤＣ３７２の出力するデジタル値ＶＤが閾値ＴＨ１未満のときには、処理がステップＳ１０６に進み、デジタル値ＶＤが閾値ＴＨ１以上のときには、処理がステップＳ１０７に進む。
【００９８】
ステップＳ１０６において、ＣＰＵ２は、現在の状態が第３のケースであると判定することができる。第３のケースは、前述したように、イヤホンジャック１２に挿入されたプラグが３極プラグイヤホン９１に含まれる３極プラグ５１の場合をいう。
【００９９】
ステップＳ１０７において、ＡＤＣ３７２の出力するデジタル値ＶＤが閾値ＴＨ１以上、かつ閾値ＴＨ２未満のときには、処理がステップＳ１０８に進み、デジタル値ＶＤが閾値ＴＨ２以上のときには、処理がステップＳ１０９に進む。
【０１００】
ステップＳ１０８において、ＣＰＵ２は、現在の状態が、第１のケースであると判定することができる。第１のケースは、前述したように、イヤホンジャック１２に挿入されたプラグが４極プラグイヤホン９２に含まれる４極プラグ５２、またはコネクタ２９に４極プラグイヤホン９２が接続された延長ケーブル９３に含まれる４極プラグ５３の場合をいう。
【０１０１】
ステップＳ１０９において、デジタル値ＶＤの時間変動量が所定値ＴＨＶ未満のときには、処理がステップＳ１１０に進み、デジタル値ＶＤの時間変動量が所定値ＴＨＶ以上のときには、処理がステップＳ１１１に進む。
【０１０２】
ステップＳ１１０において、ＣＰＵ２は、現在の状態が、第２のケースであると判定することができる。第２のケースは、前述したようにイヤホンジャック１２に挿入されたプラグがコネクタ２９に４極プラグイヤホン９２が接続されていない延長ケーブル９３に含まれる４極プラグ５３の場合をいう。
【０１０３】
ステップＳ１１１において、ＣＰＵ２は、現在の状態が第１のケースであると判定することができる。
【０１０４】
ステップＳ１１２において、現在の状態が第３のケースであると判定された場合に、処理がステップＳ１１３に進み、ステップＳ１１４において、現在の状態が第１のケースであると判定された場合に、処理がステップＳ１１５に進み、ステップＳ１１６において、現在の状態が第２のケースであると判定された場合に、処理がステップＳ１１７に進む。
【０１０５】
ステップＳ１１３において、音声処理部３は、音声信号を第１の音声出力部１５２および第２の音声出力部１５２を通じてイヤホンジャック１２へ出力可能に設定することができる。音声処理部３は、携帯端末１のマイク６２からの音声信号を入力可能（受付可能を意味する）に設定することができる。
【０１０６】
ステップＳ１１５において、音声処理部３は、音声信号を第１の音声出力部１５２および第２の音声出力部１５２を通じてイヤホンジャック１２へ出力可能に設定することができる。音声処理部３は、イヤホンジャック１２からマイク音声処理部１５１に入力された音声信号を入力可能（受付可能を意味する）に設定することができる。
【０１０７】
ステップＳ１１７において、音声処理部３は、音声信号を携帯端末１のスピーカ６３へ出力可能に設定することができる。音声処理部３は、携帯端末１のマイク６２からの音声信号を入力可能（受付可能を意味する）に設定することができる。
【０１０８】
以上のように、本実施の形態によれば、ノードＮＤ３の電位に基づいて、イヤホンジャックに４極プラグイヤホンのプラグ（コネクタに４極プラグが接続された延長プラグのイヤホンも含む）が挿入されたのか、コネクタに４極プラグイヤホンが接続されていない４極プラグイヤホン用の延長ケーブルのプラグが挿入されたか、３極プラグイヤホンのプラグが挿入されたのかを判定することができる。
【０１０９】
［第２の実施形態］
本実施の形態は、４極プラグイヤホン９２のマイク２８からの音声信号の時間変動量が小さく閾値ＴＨＶ未満となってしまうことがある場合を考慮したものである。
【０１１０】
図２１は、第２の実施形態における挿入されたプラグの種別の識別手順、およびプラグの種別に応じた制御手順を表すフローチャートである。
【０１１１】
図２１のフローチャートが、図２０のフローチャートと相違する点は、以下である。
ステップＳ１０９において、デジタル値ＶＤの変動量が所定値未満のときには、処理がステップＳ３０１に進み、デジタル値ＶＤの変動量が所定値以上のときには、処理がステップＳ１１１に進む。
【０１１２】
ステップＳ３０１において、ＣＰＵ２は、図２２に示すようなユーザへの指示要求メッセージ２５１をディスプレイ６５に表示することができる。
【０１１３】
ステップＳ３０２において、ユーザがＯＫボタン２５２をタッチすることによって挿入されたプラグが４極プラグイヤホン９２の４極プラグ５２である（コネクタ２９に４極プラグイヤホン９２が接続された延長ケーブル９３の４極プラグ５３も含む）ことを指示した場合には、処理がステップＳ１１１に進み、ユーザがＯＫボタン２５２をタッチしなかった場合には、処理がステップ３０３に進む。
【０１１４】
ステップＳ３０３において、ＣＰＵ２は、現在の状態が、第２のケースであると判定することができる。
【０１１５】
ステップＳ１１１において、ＣＰＵ２は、現在の状態が、第１のケースであると判定することができる。
【０１１６】
以上のように、本実施の形態によれば、４極プラグイヤホン９２のマイク２８からの音声信号の時間変動量が小さくてプラグの識別に用いることができない場合でも、ユーザの補助を用いることによって、第１の実施形態と同様に、挿入されたプラグの種別の識別が可能となる。
【０１１７】
［第３の実施形態］
本実施の形態は、ノードＮＤ３の電圧が閾値ＴＨ２以上のときに、４極プラグイヤホン９２のマイク２８からの音声信号の時間変動量によらずに、ユーザの補助によって、現在の状態が、第１のケースか第２のケースかを判別する。
【０１１８】
図２３は、第３の実施形態における挿入されたプラグの種別の識別手順、およびプラグの種別に応じた制御手順を表すフローチャートである。
【０１１９】
ステップＳ１０７において、ＡＤＣ３７２の出力するデジタル値ＶＤが閾値ＴＨ１以上、かつ閾値ＴＨ２未満のときには、処理がステップＳ１０８に進み、デジタル値ＶＤが閾値ＴＨ２以上のときには、処理がステップＳ２０１に進む。
【０１２０】
ステップＳ２０１おいて、ＣＰＵ２は、図２２に示すようなユーザへの指示要求メッセージ２５１をディスプレイ６５に表示することができる。
【０１２１】
ステップＳ２０２において、ユーザがＯＫボタン２５２をタッチすることによって挿入されたプラグが４極プラグイヤホン９２の４極プラグ５２である（コネクタ２９に４極プラグイヤホン９２が接続された延長ケーブル９３の４極プラグ５３も含む）ことを指示した場合には、処理がステップＳ２０３に進み、ユーザがＯＫボタン２５２をタッチしなかった場合には、処理がステップＳ２０４に進む。
【０１２２】
ステップＳ２０３において、ＣＰＵ２は、現在の状態が、第２のケースであると判定することができる。
【０１２３】
ステップＳ２０４において、ＣＰＵ２は、現在の状態が第１のケースであると判定することができる。
【０１２４】
以上のように、本実施の形態によれば、ユーザの補助を用いることによって、第１の実施形態と同様に、挿入されたプラグの種別の識別が可能となる。
【０１２５】
本開示は、上記の実施形態に限定されるものではなく、たとえば、以下のような変形例も含む。
【０１２６】
（１）電子機器
上述の実施形態では、電子機器の一例として携帯端末を例として説明したが、本開示の電子機器は、携帯端末に限定されるものではなく、パソコン、またはタブレットなどのようなものも含まれる。
【０１２７】
（２）ユーザ指示
ノードＮＤ３の電圧が閾値ＴＨ１以上の場合に、ＣＰＵ２は、ユーザに現在の状態が第１のケースか、あるいは第２のケースかの指示を要求し、ユーザの指示に基づいて現在の状態を判定するものとしてもよい。
【０１２８】
（３）音声処理部
マイク音声処理部１５１と、第１の音声出力部１５２と、第２の音声出力部１５３は、イヤホン９２に含まれるマイク２８からの音声信号を処理し、音声信号をイヤホン９１，９２のスピーカ１７ａ，１７ｂ，２７ａ，２７ｂへ出力するために処理するためのものであるが、これに限定するものではない。マイク音声処理部１５１と、第１の音声出力部１５２と、第２の音声出力部１５３は、携帯端末１のマイク６２からの音声信号を処理し、音声信号を携帯端末１のスピーカ６３へ出力するために処理も行なうこととしてもよい。すなわち、ＤＡＣ６、ＤＡＣ８、アンプ７、アンプ９は、携帯端末１のスピーカ６３へ送る音声信号の処理にも用いられ、アンプ５、ＡＤＣ４は、携帯端末１のマイク６２からの音声信号の処理にも用いられるものとしてもよい。
【０１２９】
（４）判定
上記の実施形態では、携帯端末１は、３極プラグイヤホン９１と、４極プラグイヤホン９２と、４極プラグイヤホン用の延長ケーブル９３と接続可能であり、ＣＰＵ２は、現在の状態が、第１のケースか、第２のケースか、または第３のケースかを判定するものとしたが、これに限定するものではない。たとえば、携帯端末１は、４極プラグイヤホン９２と、４極プラグイヤホン用の延長ケーブル９３のみと接続可能であり、ＣＰＵ２は、現在の状態が第１のケースか、または第２のケースかを判定するようにしてもよい。
【０１３０】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１３１】
１  携帯端末、２  ＣＰＵ、３  音声処理部、１１  ＧＰＩＯインタフェース、１２  イヤホンジャック、１３ａ，１３ｂ，２３ａ，２３ｂ  シリコンキャップ、１６ａ，１６ｂ，２６ａ，２６ｂ  ハウジング、１７ａ，１７ｂ，２７ａ，２７ｂ，６３  スピーカ、２８，６２  マイク、２９  コネクタ、５１  ３極プラグ、５２，５３  ４極プラグ、６５  ディスプレイ、６６  タッチパネル、７２  ＡＤＣ、７１ａ，７１ｂ，９５ａ，９５ｂ  入力端子、７２ａ，７２ｂ，９６ａ，９６ｂ  グランド端子、７４  出力端子、８１，８２，８３  ケーブル、９１  ３極プラグイヤホン、９２  ４極プラグイヤホン、９３  ４極プラグイヤホン用の延長ケーブル、１５１  マイク音声処理部、１５２，１５３  音声出力部、１５４    電圧設定部、１５５  グランド、３７２  ＡＤＣ、５２１  制御部、９６１  アンテナ、９６６  メモリ、Ｌ  左音声端子、Ｒ  右音声端子、Ｇ  グランド端子、Ｍ  マイク端子、Ａ，Ａ′，Ｂ，Ｃ，Ｄ  イヤホンジャックの端子、Ｒ１，Ｒ２，Ｒ３，ＲＸ，ＲＹ，ＲＺ  抵抗。
【図１】
0006527795.tif 000002
【図２】
0006527795.tif 000003
【図３】
0006527795.tif 000004
【図４】
0006527795.tif 000005
【図５】
0006527795.tif 000006
【図６】
0006527795.tif 000007
【図７】
0006527795.tif 000008
【図８】
0006527795.tif 000009
【図９】
0006527795.tif 000010
【図１０】
0006527795.tif 000011
【図１１】
0006527795.tif 000012
【図１２】
0006527795.tif 000013
【図１３】
0006527795.tif 000014
【図１４】
0006527795.tif 000015
【図１５】
0006527795.tif 000016
【図１６】
0006527795.tif 000017
【図１７】
0006527795.tif 000018
【図１８】
0006527795.tif 000019
【図１９】
0006527795.tif 000020
【図２０】
0006527795.tif 000021
【図２１】
0006527795.tif 000022
【図２２】
0006527795.tif 000023
【図２３】
0006527795.tif 000024